(57)【要約】【課題】  リモコンに設けられた慣性センサ等でなる相対位置検出手段により、リモコンとテレビとの相対位置やリモコンの移動軌跡を認識し、該認識に対応するユーザを判定してこの判定に適合するようにコンテンツを選択したり音響効果を調節したりすることを可能ならしめる制御システムを実現する。【解決手段】  リモコン２００に設けられた２１０相対位置検出手段によって、リモコン２００の位置や移動軌跡を検出し、そのパターンからユーザを判定し、このユーザに適合するように液晶テレビ１００におけるコンテンツを選択する。【選択図】  図１
2006173857.tif 000002
【特許請求の範囲】
【請求項１】
遠隔制御装置と該遠隔制御装置によって制御され得る被制御装置とを含んで構成された制御システムであって、
前記遠隔制御装置は、前記被制御装置とは別体に構成された筐体と、該筐体に設けられ自己の位置の相対的変化を非接触で検出する相対位置検出手段と、前記相対位置検出手段の検出出力に基づいて前記被制御機器の位置との相対において当該遠隔制御装置の現在位置を算出して該位置を表す現在位置情報を生成する現在位置算出手段と、前記現在位置算出手段によって生成された現在位置情報を外部に伝送する情報伝送手段と、を備え、
前記被制御装置は、前記遠隔制御装置の情報伝送手段から伝送される現在位置情報を受信する情報受信手段と、前記情報受信手段で受けた現在位置情報に基づいて動作モードの選択を行う動作モード選択手段と、を備えていることを特徴とする制御システム。
【請求項２】
自己とは別体に構成された所定の遠隔制御装置によって制御され得るように構成された被制御装置であって、前記遠隔制御装置が自己の相対位置検出手段の検出出力に依拠して当該被制御装置の位置との相対において当該遠隔制御装置の現在位置を算出して該位置を表す位置情報を現在位置情報として外部に伝送したときには当該現在位置情報を受信する情報受信手段と、前記情報受信手段で受けた現在位置情報に基づいて動作モードの選択を行う動作モード選択手段と、を備えたことを特徴とする被制御装置。
【請求項３】
被制御装置に対し所定の制御を行い得るようになされ前記被制御装置とは別体の筐体を持つ遠隔制御装置であって、前記筐体に設けられ自己の位置の相対的変化を非接触で検出する相対位置検出手段と、前記相対位置検出手段の検出出力に基づいて前記被制御装置の位置との相対において当該遠隔制御装置の現在位置を算出して該位置を表す現在位置情報を生成する現在位置算出手段と、前記現在位置算出手段によって生成された現在位置情報を外部に伝送する情報伝送手段と、を備えたことを特徴とする遠隔制御装置。
【請求項４】
前記相対位置検出手段の検出出力が前記現在位置算出手段における現在位置算出演算に適合する特性のものとなるように調整する検出特性調整手段を更に備えていることを特徴とする請求項３に記載の遠隔制御装置。
【請求項５】
前記現在位置算出手段によって生成された現在位置情報に含まれる累積誤差をリセットする累積誤差リセット手段を更に備えていることを特徴とする請求項３に記載の遠隔制御装置。
【請求項６】
前記相対位置検出手段の検出出力に基づいて当該遠隔制御装置の移動軌跡に関する移動軌跡情報を生成する移動軌跡情報生成手段を更に備え、前記情報伝送手段は前記移動軌跡情報生成手段によって生成された移動軌跡情報をも外部に伝送するように構成されていることを特徴とする請求項３に記載の遠隔制御装置。
【請求項７】
前記情報受信手段が前記遠隔制御装置の情報伝送手段から伝送される当該遠隔制御装置の移動軌跡に関する移動軌跡情報をも受信するように構成され、前記情報受信手段によって受信した当該移動軌跡情報に基づいてユーザを認識するユーザ認識手段を更に備えていることを特徴とする請求項２に記載の被制御装置。
【請求項８】
前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報に基づいてユーザを認識して該認識を表すユーザ認識情報を生成するユーザ認識手段を更に備え、前記情報伝送手段は前記ユーザ認識手段によって生成されたユーザ認識情報をも外部に伝送するように構成されていることを特徴とする請求項３に記載の遠隔制御装置。
【請求項９】
前記情報受信手段が前記遠隔制御装置の情報伝送手段から伝送される当該遠隔制御装置側で認識したユーザを表すユーザ認識情報をも受信するように構成され、前記情報受信手段によって受信したユーザ認識情報に応じて動作モードを選択する動作モード選択手段を更に備えていることを特徴とする請求項２に記載の被制御装置。
【請求項１０】
前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報にユーザの特定の挙動に相応するものとして予定された特定移動態様情報が含まれているときには該特定移動態様情報を抽出する特定移動態様情報抽出手段と、前記特定移動態様情報抽出手段によって抽出された特定移動態様情報に基づいて制御対象とする被制御装置を識別する制御対象識別手段とを更に備え、前記情報伝送手段は制御対象識別手段によって識別された制御対象とする被制御装置に適合する態様の信号によって情報を伝送するように構成されていることを特徴とする請求項３に記載の遠隔制御装置。
【請求項１１】
自己の操作部への操作に基づいて使用目的の種別を認識する使用目的認識手段と、前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報にユーザの特定の挙動に相応するものとして予定された特定移動態様情報が含まれているときには該特定移動態様情報を抽出する特定移動態様情報抽出手段と、前記特定移動態様情報抽出手段によって抽出された特定移動態様情報に基づいて前記使用目的に適合した制御対象とする被制御装置を識別する制御対象識別手段と、前記相対位置検出手段の検出出力が前記制御対象識別手段による識別結果と前記使用目的に適合する特性のものとなるように調整する検出特性調整手段とを更に備え、前記情報伝送手段は制御対象識別手段によって識別された制御対象とする被制御装置に適合する態様の信号によって情報を伝送するように構成されていることを特徴とする請求項３に記載の遠隔制御装置。
【請求項１２】
前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報に基づいて制御対象とする被制御装置を推定する制御対象推定手段と、前記制御対象推定手段によって制御対象とする被制御装置であると推定された被制御装置に稼動するための準備動作を起動させる準備動作起動情報を生成する準備動作起動情報生成手段とを更に備え、前記情報伝送手段は前記制御対象推定手段によって推定された制御対象とする被制御装置に前記準備動作起動情報生成手段によって生成された準備動作起動情報を伝送するように構成されていることを特徴とする請求項３に記載の遠隔制御装置。
【請求項１３】
計時動作を行い時刻情報を出力する時刻管理手段と、当該遠隔制御装置の移動履歴を表す移動履歴情報を参照可能に保持する移動履歴保持手段と、前記現在位置算出手段によって生成された位置情報と前記時刻管理手段より出力された時刻情報と前記移動履歴保持手段に保持された移動履歴情報とに基づいて前記被制御装置が任意時点においてとるべき動作態様を規定する動作態様選択情報を生成する動作態様選択情報生成手段と、を更に備え、前記情報伝送手段は、前記動作態様選択情報生成手段によって生成された動作態様選択情報を外部に伝送するように構成されていることを特徴とする請求項３に記載の遠隔制御装置。
【請求項１４】
前記相対位置検出手段の検出出力に基づいて被制御装置の表示画面上の位置を特定してポインティングを行うポインティング情報を生成するポインティング情報生成手段と、前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報に基づいてユーザを認識して該認識を表すユーザ認識情報を生成するユーザ認識手段と、前記現在位置算出手段による現在位置情報に基づいて自己の位置の検出する位置検出モードと前記ポインティング情報に基づいて被制御装置の表示画面上の位置を特定してポインティングを行うポインティングモードと前記ユーザ認識情報に基づいてユーザを認識するユーザ認識モードとの各モードのうちの何れかのモードを選択するモード選択手段と、を更に備えたことを特徴とする請求項３に記載の遠隔制御装置。
【請求項１５】
前記モード選択手段によって選択されたモードに応じて前記相対位置検出手段による検出特性を調整する検出特性調整手段を更に備えたことを特徴とする請求項１４に記載の遠隔制御装置。
【発明の詳細な説明】
【技術分野】
【０００１】
本発明は、被制御装置としての例えばテレビジョン受像機とこれに対応する遠隔制御装置としての例えばリモートコントローラ（以下、リモコン）等によって構成される制御システム及びこのシステムに適合する被制御装置並びに遠隔制御装置に関し、その一例としては、リモコンの移動軌跡の特徴からそれを用いる使用者（被制御装置としての映像音響装置の視聴者）を推定してそれに適合するコンテンツを選択したり、リモコンが存在する場所に概略一致する場所に居る蓋然性が高い視聴者の位置を推定して、遠隔制御装置（従って、リモコンを持つ使用者）の位置に適合するように音響効果を調節したりすることを可能ならしめる制御システム及びこのシステムに適合する被制御装置並びに遠隔制御装置等もこれに該当するものである。
【背景技術】
【０００２】
リモコン装置を多機能化して、リモコン装置とこれによって遠隔操作される機器とによって構成されるシステムの取り扱いについて使用者に種々の便宜を提供しようとする技術は既に多数提案されている。例えば、リモコン装置でＧＰＳ用アルゴリズム等を利用し３個の電波発信源からの電波受信と受信時刻に基づいて自らの位置を検出し、検出された位置と予め準備された各機器の位置情報とを照合して自己に最も近い機器を特定し、その機器からリモコン信号を定義する情報と操作用画像を構築するための情報とを取得し、表示部にその特定した機器の操作用画像を表示し、ユーザ操作に応じてリモコン信号を特定してリモコン信号送信制御部に送信の制御を行わせることによりユーザによるボタン操作数を増加させることなく、ユーザが、制御したい機器をより的確に特定してその機器を制御し得るようにする技術が提案されている（特許文献１参照）。
【０００３】
また、リモコンでプロジェクタを操作するシステムにおいて、プロジェクタ側で、撮像素子を持つリモコンが取得した投影領域撮像情報と方位情報とを自己の受信部で受信し、該受信した情報に依拠して予めルックアップテーブルに準備された台形歪み補正値を選択し、該補正値に基づいて台形歪みを補正するようにした画像処理システムが提案されている（特許文献２参照）。
【０００４】
更にまた、レーザポインタで表示画面上の任意の点を指すポインティングデバイスにおいて、リモコン側に備えられたCCDカメラでリモコンから投射したレーザスポットを含む表示画面を撮像し、この撮像による画像のラスタ走査等に依拠して上記レーザスポットの座標を算出して、該座標を表わすデータをリモコン側からテレビ側に無線で伝送し画面上に指示ポイントを映出することにより種々の角度からポインティング可能にすることが提案されている（特許文献３参照）。
【０００５】
上述の特許文献３の提案に対し、リモコン側に備えられた撮像装置で撮像したラスタ上の画像表示面の３隅の位置の座標と、実際の画像表示面の３隅の位置の座標との比較に基づいて、撮像画像のラスタ中央座標が実際の画面のどこの座標に対応するかを算出することによりリモコン側からレーザスポット等を投射することなく表示画面上でのポインティングを行い得るようにすることが提案されている（特許文献４参照）。
【特許文献１】特開２００４−１６６１９３号公報（段落００１６〜段落００１８、図１、図２）
【特許文献２】特開２００４−１８７０５２号公報（段落００３９〜段落００４５、図１）
【特許文献３】特開２００１−２３６１８１号公報（段落０００４〜段落０００９、図１）
【特許文献４】特開２００３−２０８２６０号公報（段落００１３〜段落００２１、図１、図２）
【発明の開示】
【発明が解決しようとする課題】
【０００６】
上述した従来の技術は、遠隔制御装置としての例えばリモコンの移動軌跡の特徴からそれを用いる使用者（被制御装置としての映像音響装置の視聴者）を推定してそれに適合するコンテンツを選択したり、リモコンが存在する場所に概略一致する場所に居る蓋然性が高い視聴者の位置を推定して、リモコン（従って、そのリモコンを持つ使用者）の位置に適合するように響効果を調節したりすることを可能ならしめるという観点からは、次に述べるような種々の課題を残している。
【０００７】
即ち、特許文献１所載の技術では、原理的に３個の電波発信源を位置検出のための基準として予め設備しておくことが必須であるため、リモコンの位置を比較的簡易な構成で十分な精度で検出し、使用者の所望に適合する機器を相応の確度で制御対象として選択することは困難である。また、リモコンの移動軌跡に着目して現在そのリモコンを使用している使用者（視聴者）を特定しようとするような着想は無い。
【０００８】
また、特許文献１に提案の技術では、リモコン（従って、使用者）の位置に最も近い何らかの機器を無条件で制御対象として選定するように構成されているため、使用者の本来の意思に即した機器が必ずしも選択されるとは限らない。従って、実際の使用に供されるときには、使用者自身が機器に自ら接近しなくてはならず、操作を意図した制御対象が字義通り自動的に選択されることは期待できない。
【０００９】
また、特許文献２に提案の技術は、専らプロジェクタにおける台形歪を補正するに必要な限りでリモコンの方位情報を取得し、該取得された方位情報に基づいて台形歪の補正を実行するものであり、リモコン（従って、使用者）の位置を機器本体との相対において認識し該認識に適合するようにコンテンツを選択したり音響効果を調節したりすることについては何等示唆的な開示がない。
【００１０】
更に、特許文献３の提案では、あくまでも投影されたレーザスポットを含む表示画面をリモコン側の撮像手段によって撮像し、この撮像による映像信号に係るラスタ走査に基づいてレーザスポットの位置座標のデータを取得するものであり、リモコンの位置を機器本体との相対において認識し該認識に適合するようにコンテンツを選択したり音響効果を調節したりする技術とは趣を異にするものである。
【００１１】
一方、特許文献４の提案は特許文献３のようにリモコン側からレーザスポット等を投射することなく表示画面上でのポインティングを行い得るようにするという限りのものであって、特許文献３における課題の解決を意図するも、リモコンの位置を機器本体との相対において認識し該認識に適合するようにコンテンツを選択したり音響効果を調節したりすることについての提案は皆無である。
【００１２】
本発明は、上述したような従来技術における課題に着目してなされたものであり、遠隔制御装置側に自己の位置の相対的変化を非接触で検出する、所謂ジャイロ等をその一例とする相対位置検出手段を設けて、この相対位置検出手段による検出出力から遠隔制御装置の移動軌跡や現在位置を認識することができるようにすること、ひいてはこの認識に基づいて関係する装置の取り扱いに種々便宜を提供すること、例えば、認識された現在位置に適合するように被制御装置においてコンテンツを選択したり音響効果を調節したりすることを可能ならしめる制御システム及びこのシステムに適合する被制御装置並びに遠隔制御装置を提供することを目的とする。
【課題を解決するための手段】
【００１３】
上記課題を解決するべく、本願では次に列記するような技術を提案する。
（１）遠隔制御装置と該遠隔制御装置によって制御され得る被制御装置とを含んで構成された制御システムであって、
前記遠隔制御装置は、前記被制御装置とは別体に構成された筐体と、該筐体に設けられ自己の位置の相対的変化を非接触で検出する相対位置検出手段と、前記相対位置検出手段の検出出力に基づいて前記被制御機器の位置との相対において当該遠隔制御装置の現在位置を算出して該位置を表す現在位置情報を生成する現在位置算出手段と、前記現在位置算出手段によって生成された現在位置情報を外部に伝送する情報伝送手段と、を備え、
前記被制御装置は、前記遠隔制御装置の情報伝送手段から伝送される現在位置情報を受信する情報受信手段と、前記情報受信手段で受けた現在位置情報に基づいて動作モードの選択を行う動作モード選択手段と、を備えていることを特徴とする制御システム。
【００１４】
上記（１）の制御システムによれば、被制御装置側は、遠隔制御装置側から伝送される現在位置情報に基づいて当該遠隔制御装置の位置を自己の位置との相対において認識可能となり、認識された位置に応じてその位置を占める蓋然性の高い当該制御システムの利用者（映像音響システムの場合は視聴者）に相応した動作モードの選択（映像音響システムの場合ではコンテンツの選定や音響効果の調節等）を行うことができる。
【００１５】
（２）自己とは別体に構成された所定の遠隔制御装置によって制御され得るように構成された被制御装置であって、前記遠隔制御装置が自己の相対位置検出手段の検出出力に依拠して当該被制御装置の位置との相対において当該遠隔制御装置の現在位置を算出して該位置を表す位置情報を現在位置情報として外部に伝送したときには当該現在位置情報を受信する情報受信手段と、前記情報受信手段で受けた現在位置情報に基づいて動作モードの選択を行う動作モード選択手段と、を備えたことを特徴とする被制御装置。
【００１６】
上記（２）の被制御装置によれば、遠隔制御装置側から伝送される現在位置情報に基づいて当該遠隔制御装置の位置を自己の位置との相対において認識可能となり、認識された位置に応じてその位置を占める蓋然性の高い当該制御システムの利用者（映像音響システムの場合は視聴者）に相応した動作モードの選択（映像音響システムの場合ではコンテンツの選定や音響効果の調節等）を行うことができる。
【００１７】
（３）被制御装置に対し所定の制御を行い得るようになされ前記被制御装置とは別体の筐体を持つ遠隔制御装置であって、前記筐体に設けられ自己の位置の相対的変化を非接触で検出する相対位置検出手段と、前記相対位置検出手段の検出出力に基づいて前記被制御装置の位置との相対において当該遠隔制御装置の現在位置を算出して該位置を表す現在位置情報を生成する現在位置算出手段と、前記現在位置算出手段によって生成された現在位置情報を外部に伝送する情報伝送手段と、を備えたことを特徴とする遠隔制御装置。
【００１８】
上記（３）の遠隔制御装置によれば、相対位置検出手段の検出出力に基づいて被制御機器の位置との相対において当該遠隔制御装置の現在位置を算出して該位置を表す現在位置情報を生成して被制御装置に供給するため、この現在位置情報を受けた被制御機器側では、当該遠隔制御装置の位置を自己の位置との相対において認識可能となり、認識された位置に応じてその位置を占める蓋然性の高い当該制御システムの利用者（映像音響システムの場合は視聴者）に相応した動作モードの選択（映像音響システムの場合ではコンテンツの選定や音響効果の調節等）を行うことができる。
【００１９】
（４）前記相対位置検出手段の検出出力が前記現在位置算出手段における現在位置算出演算に適合する特性のものとなるように調整する検出特性調整手段を更に備えていることを特徴とする（３）に記載の遠隔制御装置。
【００２０】
上記（４）の遠隔制御装置によれば、（３）に記載の遠隔制御装置における作用に加えて、その相対位置検出手段の検出特性が、検出特性調整手段によって、前記位置算出手段における位置算出演算の目的に応じて要求される感度特性や応答特性、或いはフィルタリングの程度等の特性に適合するように調整され、目的に適った検出出力が得られ、ひいては遠隔制御装置としての動作の確度、精度が確保されて、対応する被制御装置の動作の確度、精度が確保される。
【００２１】
（５）前記現在位置算出手段によって生成された現在位置情報に含まれる累積誤差をリセットする累積誤差リセット手段を更に備えていることを特徴とする（３）に記載の遠隔制御装置。
【００２２】
上記（５）の遠隔制御装置によれば、（３）に記載の遠隔制御装置における作用に加えて、相対位置検出手段の検出出力に依存する現在位置情報に含まれる累積誤差が適宜の時点で移動累積誤差リセット手段によってリセットされ得るため位置情報の確度が維持され、ひいては遠隔制御装置としての動作の確度、精度が高水準に確保されて、対応する被制御装置の動作の確度、精度が高水準に確保される。
【００２３】
（６）前記相対位置検出手段の検出出力に基づいて当該遠隔制御装置の移動軌跡に関する移動軌跡情報を生成する移動軌跡情報生成手段を更に備え、前記情報伝送手段は前記移動軌跡情報生成手段によって生成された移動軌跡情報をも外部に伝送するように構成されていることを特徴とする（３）に記載の遠隔制御装置。
【００２４】
上記（６）の遠隔制御装置によれば、（３）に記載の遠隔制御装置における作用に加えて、遠隔制御装置の現在位置を表す情報のみでは割り出すことが難しい、例えば、その遠隔制御装置の使用者の特定や、使用者の挙動に基づく使用意図の推定といった種々の特定乃至推定の根拠となる移動軌跡情報を、対応する被制御装置に供給することができる。
【００２５】
（７）前記情報受信手段が前記遠隔制御装置の情報伝送手段から伝送される当該遠隔制御装置の移動軌跡に関する移動軌跡情報をも受信するように構成され、前記情報受信手段によって受信した当該移動軌跡情報に基づいてユーザを認識するユーザ認識手段を更に備えていることを特徴とする（２）に記載の被制御装置。
【００２６】
上記（７）に記載の被制御装置によれば、（２）に記載の被制御装置による作用に加えて、前記遠隔制御装置から供給される当該遠隔制御装置の移動軌跡に関する移動軌跡情報に基づいてユーザを認識することができ、ひいては認識されたユーザに相応した動作モードの選択（映像音響システムの場合ではコンテンツの選定等）を行うことができる。
【００２７】
（８）前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報に基づいてユーザを認識して該認識を表すユーザ認識情報を生成するユーザ認識手段を更に備え、前記情報伝送手段は前記ユーザ認識手段によって生成されたユーザ認識情報をも外部に伝送するように構成されていることを特徴とする（３）に記載の遠隔制御装置。
【００２８】
上記（８）の遠隔制御装置によれば、（３）に記載の遠隔制御装置による作用に加えて、遠隔制御装置側でユーザを認識し該認識を表すユーザ認識情報を対応する被制御装置に供給することができるため、被制御装置側ではこのユーザ認識情報に基づいて直ちにユーザを認識することができ、ひいては認識されたユーザに相応した動作モードの選択（映像音響システムの場合ではコンテンツの選定等）を行うことができる。
【００２９】
（９）前記情報受信手段が前記遠隔制御装置の情報伝送手段から伝送される当該遠隔制御装置側で認識したユーザを表すユーザ認識情報をも受信するように構成され、前記情報受信手段によって受信したユーザ認識情報に応じて動作モードを選択する動作モード選択手段を更に備えていることを特徴とする（２）に記載の被制御装置。
【００３０】
上記（９）の被制御装置によれば、（２）に記載の被制御装置による作用に加えて、情報受信手段によって受信したユーザ認識情報に基づいて直ちにユーザを認識することができ、ひいては認識されたユーザに相応した動作モードの選択（映像音響システムの場合ではコンテンツの選定等）を行うことができる。
【００３１】
（１０）前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報にユーザの特定の挙動に相応するものとして予定された特定移動態様情報が含まれているときには該特定移動態様情報を抽出する特定移動態様情報抽出手段と、前記特定移動態様情報抽出手段によって抽出された特定移動態様情報に基づいて制御対象とする被制御装置を識別する制御対象識別手段とを更に備え、前記情報伝送手段は制御対象識別手段によって識別された制御対象とする被制御装置に適合する態様の信号によって情報を伝送するように構成されていることを特徴とする（３）に記載の遠隔制御装置。
【００３２】
上記（１０）の遠隔制御装置によれば、上記（３）に記載の遠隔制御装置による作用に加えて、例えばユーザが当該遠隔制御装置を持って或る一定の範囲で斜めに振る等の特定の挙動をすることによって生成される特定移動態様情報に基づいて制御対象とする被制御装置を識別し、この識別による被制御装置に適合する態様の信号によって例えば遠隔制御装置の現在位置の情報や、所望の操作を行うための指令等の情報を当該被制御装置に確実に伝送することができる。
【００３３】
（１１）自己の操作部への操作に基づいて使用目的の種別を認識する使用目的認識手段と、前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報にユーザの特定の挙動に相応するものとして予定された特定移動態様情報含まれているときには該特定移動態様情報を抽出する特定移動態様情報抽出手段と、前記特定移動態様情報抽出手段によって抽出された特定移動態様情報に基づいて前記使用目的に適合した制御対象とする被制御装置を識別する制御対象識別手段と、前記相対位置検出手段の検出出力が前記制御対象識別手段による識別結果と前記使用目的に適合する特性のものとなるように調整する検出特性調整手段とを更に備え、前記情報伝送手段は制御対象識別手段によって識別された制御対象とする被制御装置に適合する態様の信号によって情報を伝送するように構成されていることを特徴とする（３）に記載の遠隔制御装置。
【００３４】
上記（１１）の遠隔制御装置によれば、（３）に記載の遠隔制御装置による作用に加えて、例えばユーザが当初の操作でポインティングに用いる等の使用目的を選択しておき、この選択を前提に、当該遠隔制御装置を持って或る一定の範囲で斜めに振る等の特定の挙動をすることによって生成される特定移動態様情報に基づいて制御対象とする被制御装置を識別し、この識別結果としての被制御装置に適合するように前記相対位置検出手段の検出特性を調整するため、例えば検出感度特性等の検出特性を最適化することができ、これ以降はこの状態での相対位置検出手段の検出出力によって所望とする検出が行われ、且つ、上記識別結果としての被制御装置に適合する態様の信号によって例えば所望の操作を行うための指令等の情報を当該被制御装置に確実に伝送することができる。
【００３５】
（１２）前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報に基づいて制御対象とする被制御装置を推定する制御対象推定手段と、前記制御対象推定手段によって制御対象とする被制御装置であると推定された被制御装置に稼動するための準備動作を起動させる準備動作起動情報を生成する準備動作起動情報生成手段とを更に備え、前記情報伝送手段は前記制御対象推定手段によって推定された制御対象とする被制御装置に前記準備動作起動情報生成手段によって生成された準備動作起動情報を伝送するように構成されていることを特徴とする（３）に記載の遠隔制御装置。
【００３６】
上記（１２）の遠隔制御装置によれば、（３）に記載の遠隔制御装置による作用に加えて、例えば特定の被制御装置に向かうユーザの動線に沿うような移動軌跡の移動軌跡情報に基づいて制御対象とする被制御装置を推定して、このように推定された被制御装置に例えば電源を供給したりコンテンツを準備したりするような準備動作を起動させる準備動作起動情報を生成する。準備動作起動情報を受けた該当する被制御装置側では、これに応じて上記のような準備動作を起動させることができ、応答性に優れた装置が実現される。
【００３７】
（１３）計時動作を行い時刻情報を出力する時刻管理手段と、当該遠隔制御装置の移動履歴を表す移動履歴情報を参照可能に保持する移動履歴保持手段と、前記現在位置算出手段によって生成された位置情報と前記時刻管理手段より出力された時刻情報と前記移動履歴保持手段に保持された移動履歴情報とに基づいて前記被制御装置が任意時点においてとるべき動作態様を規定する動作態様選択情報を生成する動作態様選択情報生成手段と、を更に備え、前記情報伝送手段は、前記動作態様選択情報生成手段によって生成された動作態様選択情報を外部に伝送するように構成されていることを特徴とする（３）に記載の遠隔制御装置。
【００３８】
上記（１３）の遠隔制御装置によれば、（３）に記載の遠隔制御装置による作用に加えて、或る管理された時刻（任意時点）において前記被制御装置がとるべき動作態様を、時刻情報と当該遠隔制御装置の移動履歴の情報と当該遠隔制御装置の現在位置の情報との各情報を勘案して選択する動作態様選択情報が生成されて、被制御装置側に伝送され得る。この動作態様選択情報を受けた被制御装置側では上記各情報が勘案された態様の動作を選択することができる。
【００３９】
（１４）前記相対位置検出手段の検出出力に基づいて被制御装置の表示画面上の位置を特定してポインティングを行うポインティング情報を生成するポインティング情報生成手段と、前記相対位置検出手段の検出出力に基づいて当該遠隔制御装置の移動軌跡に関する移動軌跡情報を生成する移動軌跡情報生成手段と、前記移動軌跡情報生成手段によって生成された移動軌跡情報に基づいてユーザを認識して該認識を表すユーザ認識情報を生成するユーザ認識手段と、前記現在位置算出手段による現在位置情報に基づいて自己の位置を検出する位置検出モードと前記ポインティング情報に基づいて被制御装置の表示画面上の位置を特定してポインティングを行うポインティングモードと前記ユーザ認識情報に基づいてユーザを認識するユーザ認識モードとの各モードのうちの何れかのモードを選択するモード選択手段と、を更に備えたことを特徴とする（３）に記載の遠隔制御装置。
【００４０】
上記（１４）の遠隔制御装置によれば、（３）に記載の遠隔制御装置による作用に加えて、自己の位置を検出する位置検出モードと、該当する被制御装置の表示画面上の位置を特定してポインティングを行うポインティングモードと、ユーザを認識するユーザ認識モードと、の各モードのうちの何れかのモードを選択的にとって機能し得る。
【００４１】
（１５）前記モード選択手段によって選択されたモードに応じて前記相対位置検出手段による検出特性を調整する検出特性調整手段を更に備えたことを特徴とする（１５）に記載の遠隔制御装置。
【００４２】
上記（１５）の遠隔制御装置によれば、（１４）に記載の遠隔制御装置による作用に加えて、前記相対位置検出手段による検出特性が、選択されたモードに応じて適切になるように調整される。
【発明を実施するための最良の形態】
【００４３】
以下、本発明の実施の形態を図面を参照して説明する。尚、以下に参照する図においては、便宜上、説明の主題となる要部は適宜誇張し、要部以外については適宜簡略化し乃至省略されている。
図１は、被制御装置（液晶テレビジョン受像機本体）と遠隔制御装置（同液晶テレビジョン受像機本体に対応するリモコン）を含んで構成される本発明の実施形態としての制御システム（液晶テレビジョン受像機システム）を表わす概念図である。図１において、被遠隔制御装置としての液晶テレビジョン受像機本体（以下、液晶テレビという）１００はこれに対応する遠隔制御装置としてのリモコン２００から赤外光等による制御信号を受けてその動作が制御され得るように構成されている。
【００４４】
液晶テレビ１００は、その筐体１０１に、映像を映出するスクリーン１０２、このスクリーン１０２の底辺よりも低い位置にステレオ式音響装置を構成する左側スピーカ１０３及び右側スピーカ１０４、及び、このスクリーン１０２の底辺の右直下にリモコン２００からの赤外光等による制御信号Ｓｃ（二点鎖線により図示）を受ける受光窓１０５が備えられている。
【００４５】
一方、リモコン２００は、液晶テレビ１００（その筐体１０１）とは離隔した位置に配置可能な独立した筐体２０１を持ち、この筐体２０１内に自己の位置の相対的変化を検出する相対位置検出手段と、液晶テレビ１００に対して赤外光等による制御信号Ｓｃを発する赤外ＬＥＤ等の発光素子を備えた制御信号投射部２２０（図３）が設けられている。
そして、上述の液晶テレビ１００とリモコン２００とを含んで、本発明の制御システム（液晶テレビシステム）１００＋２００が構成される。尚、赤外光等による制御信号Ｓｃには、操作者の任意の操作に応じて液晶テレビ１００を制御するための情報自体を表す制御信号の他に液晶テレビ１００とリモコン２００間でのコミュニケーションを行うための情報を表す信号が含まれる。
【００４６】
本例では、液晶テレビ１００の、例えば、画面に向かって左側部近傍等の定位置に、リモコン２００内の動作電源である二次電池を充電するためのバッテリチャージャ５００が設けられ、リモコン２００は不使用時はこのバッテリチャージャ５００に接続されて内部の二次電池を充電するようにして用いられる。後述するように、リモコン２００は自己の位置を液晶テレビ１００の位置との相対位置として検出するための現在位置算出手段を有するが、検出された位置に関する累積誤差がこのバッテリチャージャ５００に接続された時点でリセットされるように構成されている。
【００４７】
リモコン２００は不使用時はこのバッテリチャージャ５００に破線図示の位置に置かれて不図示の接触部で接続されて内部の二次電池が充電されており、使用時には一点鎖線でその移動軌跡を模式的に示すように位置と姿勢が変化するように取り上げられ、液晶テレビ１００を遠隔操作する際には先端部が液晶テレビ１００に向けられる。本発明の実施の形態に対する特徴的な取り扱いの一例としては、後述するように、結果的に上述の位置・姿勢となる過程で、意図的に、その一点鎖線にて図示の姿勢を経て実線図示の結果的姿勢に到らしめられ、或いは、白抜きの矢線のように、定位置で首を振る如く動かすこと等によって当該ユーザが認識乃至認証される。
【００４８】
図２は、図１の液晶テレビ１００の回路構成を示すブロック図である。アンテナ１１０で受信された放送波は復調・フィルタリング部１２０で復調され、トランスポートストリームが抽出され、視聴者（ユーザ）が選択したチャンネルの映像及び音声並びに番組情報を取得するためのフィルタリングが行われる。復調・フィルタリング部１２０の映像出力は映像処理部１３０に供給され、音声出力は音声処理部１４０に供給され、番組情報はＯＳＤ部１５０に供給される。
【００４９】
映像処理部１３０の出力により液晶駆動部１３１を介して液晶表示器１６０に映像が映出される。またＯＳＤ部１５０の出力に基づいて液晶表示器１６０の画面上に番組情報やその他の情報が上述の映像に重畳するようにして、或いは、画面内の一画を占めるようにして表示される。また、後述するポインティングもＯＳＤ部１５０を介して液晶表示器１６０の画面上の目的とする位置に特定のマーカ等を表示することにより行われる。
【００５０】
一方、音声処理部１４０の出力は左右の増幅器１４１，１４２を介して各対応する左右のスピーカ１４３，１４４に供給されて、ステレオ音声が発音される。上述の復調・フィルタリング部１２０及び音声処理部１４０並びにＯＳＤ部１５０を含む液晶テレビ１００の系全体を統括的に制御するマイクロプロセッサを主要な構成要素として含むシステムコントローラ１７０が設けられている。
【００５１】
このシステムコントローラ１７０には視聴者（ユーザ）による操作を受け付ける操作キー等を含んで構成される操作部１７１の出力が供給されるようになされ、また、メモリ１７２がアクセス可能に接続されて所要のタイミングでデータ（情報）の格納と読み出しが実行される。システムコントローラ１７０はその各該当する機能部の働きによって本発明の枢要な構成要件としての各手段として機能するようになされている。
【００５２】
一方、図１を参照して既述の受光窓１０５の背後に制御信号Ｓｃを受けるように設けられたリモコン信号受信部１８１の出力が信号増幅回路等を含んで構成されリモコン信号受信部１８１で受けた信号をシステムコントローラ１７０における取り扱いに適合した信号に変換するリモコン信号デコード部１８２を介してシステムコントローラ１７０に供給されるように接続されている。
【００５３】
既述の左の増幅器１４１，右の増幅器１４２にはシステムコントローラ１７０からの制御信号が夫々供給されて、増幅率が調整されることになされ、これよって、ステレオ音声のバランス調整が行われるが、本例では特に、後に詳述するように、リモコン（従って、そのリモコンを持っている視聴者）の所在（位置・方向）に合わせてこのバランス調整が適切に行われ得るようになされている。
【００５４】
上述において、リモコン信号受信部１８１及びリモコン信号デコード部１８２によって、遠隔制御装置としてのリモコン２００側で生成されて伝送される当該遠隔制御装置（リモコン）の現在位置を被制御機器の位置との相対において表す現在位置情報を受信する情報受信手段が構成され、システムコントローラ１７０の該当する機能部によって、この情報受信手段によって受信された現在位置情報に基づいて動作モードの選択を行う動作モード選択手段が構成される。
【００５５】
図３は、図１の制御システム中のリモコン２００の回路構成を示すブロック図である。図１を参照して説明した独立した筐体２０１には自己の位置の相対的変化を非接触で検出する公知の慣性センサや所謂ジャイロ等で構成される相対位置検出手段２１１が設けられている。この相対位置検出手段２１１における検出特性を例えばフィルタリング処理する等して調整する検出特性調整手段２１２が設けられ、その出力がシステムコントローラ２３０に供給されるように接続されている。
【００５６】
システムコントローラ２３０はリモコン２００の回路系を統括的に制御し種々の演算を実行するマイクロプロセッサを主要な構成要素として含んで構成され、その各該当する機能部の働きによって本発明の枢要な構成要件としての各手段として機能するようになされている。図１を参照して説明した赤外光等による制御信号Ｓｃを発する赤外ＬＥＤ等の発光素子を含んでなる制御信号投射部２２０は、上述のシステムコントローラ２３０からの指令に応じて所要の制御信号Ｓｃを発する。
【００５７】
システムコントローラ２３０には、リモコン２００の筐体２０１に設けられたチャンネル切り替え操作等を行う操作キーを有する操作部２３１からの操作信号が入力されるようになされ、更に、アクセスしてデータの授受を行い得るようにメモリ２３２が接続され、また、パーソナルコンピュータのような外部の情報処理装置との交信を行うための外部機器インターフェース２４０が接続されている。
【００５８】
また、このリモコン２００には特に、図１を参照して説明したバッテリチャージャ５００に接続されているときには、接続状態であることを検出するチャージャ接続検出部２５１が設けられ、その検出出力がシステムコントローラ２３０に入力されるように接続されている。図１を参照して簡単に説明したリモコン２００に関する算出位置の累積誤差のリセット動作は、このチャージャ接続検出部２５１による検出出力に応答して起動する。
【００５９】
図４は、上述のような液晶テレビ１００とリモコン２００とを含んで構成される本発明の実施の形態としての制御システム（液晶テレビシステム）１００＋２００の動作の概要を表すフローチャートである。以下に、このフローチャート並びに既述の各図を適宜参照しつつ、本発明の実施の形態について更に詳述する。尚、図４のフローチャートは、複数通りの変形例について共通に該当する程度に抽象化して表現してある。
【００６０】
図４において、先ず、図３の構成を有するリモコン２００側では、動作スタート後、その相対位置検出手段２１１が自己の位置の相対的変化を検出し、その検出出力が検出特性調整手段２１２による適宜の検出特性調整処理が施されてシステムコントローラ２３０に供給されることによって、システムコントローラ２３０の該当する機能部によって構成される現在位置算出手段が被制御機器（液晶テレビ１００）の位置との相対において当該遠隔制御装置（リモコン２００）の現在位置を算出して該位置を表す現在位置情報を生成する（Ｓ２０１）。
【００６１】
茲に、検出特性調整処理では、位置算出手段における位置算出演算の目的に応じて要求される感度特性や応答特性、或いはフィルタリングの程度等の特性に適合するように現在位置算出手段の出力特性が調整される。この検出特性調整処理によって目的に適った特性の検出出力が得られ、ひいては遠隔制御装置としての動作の確度、精度が確保されて、対応する被制御装置の動作の確度、精度が確保される。
【００６２】
次いで、Ｓ２０１で生成された現在位置情報が、情報伝送手段としてのシステムコントローラ２３０（その該当する機能部）及び制御信号投射部２２０によって赤外光等による制御信号Ｓｃに変換されて投射されることによって伝送され（Ｓ２０２）、この投射された信号Ｓｃが図２の液晶テレビ１００のリモコン信号受信部１８１で受信され、リモコン信号デコード部１８２を介して所定の信号変換が施されシステムコントローラ１７０に供給される（Ｓ１０１）。
【００６３】
リモコン信号受信部１８１及びリモコン信号デコード部１８２並びにシステムコントローラ１７０（その該当する機能部）によって情報受信手段が構成されている。上述のようにして情報受信手段で受信されたリモコンの現在位置情報はシステムコントローラ１７０（その該当する機能部）によって解読され（Ｓ１０２）、このように解読されたモコンの現在位置情報に基づいてシステムコントローラ１７０（その該当する機能部）による動作モード選択手段によって、例えば、コンテンツの選択やスピーカ１４３，１４４による音声の指向性の選択等の動作モードの選択が実行され、（Ｓ１０３）予定の一連の処理が終了する。
【００６４】
茲に、リモコンの現在位置情報に基づいてコンテンツの選択をするとは、例えば、その位置に居る蓋然性が高い特定の視聴者（例えば、液晶テレビ１００の画面側方位置なら一家の主、中央に正対する位置なら夫人、それらの中間位置なら子供等）に適合するコンテンツを優先的に選択して映出する等の動作である。具体的な構成としては、これらの選択基準となる情報を、例えば、図２を参照して説明した液晶テレビ１００のメモリ１７２に予めルックアップテーブルに集約して準備しておき、適宜にこれを参照することによって適切な選択が行われ得るようにする。
【００６５】
また、スピーカ１４３，１４４による音声の指向性の選択は、リモコン２００の液晶テレビ１００に対する相対位置に応じて、システムコントローラ１７０から指令を発し、リモコン２００の所在位置（この位置の近傍が視聴者の所在位置と推定される）において最適な視聴が行われ得るように、左右の増幅器１４１，１４２の増幅率を調節して、左右のスピーカ１４３，１４４の音量を調節することによって発音の指向方向を調整するようにして行われる。
【００６６】
一方、リモコン２００側では、ステップＳ２０２で現在位置情報を伝送した後は、一応実行すべき処理は終了するが、通常の使用方法に従って、リモコン２００を図１を参照して説明したバッテリチャージャ５００に戻して内部の二次電池が充電されるように接続した場合は、図３を参照して説明したように、バッテリチャージャ５００へ接続された状態であることを検出するチャージャ接続検出部２５１の検出出力がシステムコントローラ２３０に入力される。
【００６７】
この接続検出部２５１による検出出力に応答して、システムコントローラ２３０の累積誤差リセット手段としての機能部によって、現在位置算出手段による算出位置に関する累積誤差がリセットされる（Ｓ２０３）。即ち、チャージャ接続検出部２５１の検出出力が認識された時点で、リモコン２００の現在位置の値をバッテリチャージャ５００が配置された座標位置に合わせ込む。これでリモコン側の処理も終了する。
【００６８】
上述のように現在位置算出手段による算出位置に関する累積誤差がリモコンをその定位置であるバッテリチャージャ５００に戻して充電のための接続が行われる毎にリセットされ得るため、現在位置算出手段による算出位置に関する位置情報の確度が維持され、ひいては遠隔制御装置としての動作の確度、精度が高水準に確保されて、対応する被制御装置の動作の確度、精度が高水準に確保される。
【００６９】
図５は、液晶テレビ１００とリモコン２００とを含んで構成される本発明の他の実施の形態としての制御システム（液晶テレビシステム）１００＋２００の動作の概要を表すフローチャートである。図５において、先ず、図３の構成を有するリモコン２００側では、動作スタート後、図４を参照して説明したところと同様に、その相対位置検出手段２１１、検出特性調整手段２１２、及び、システムコントローラ２３０の該当する機能部によって構成される現在位置算出手段が当該遠隔制御装置（リモコン２００）の現在位置を算出して該位置を表す現在位置情報を生成するが、本例では、システムコントローラ２３０の該当する機能部による移動軌跡情報生成手段によって、更にリモコン２００の移動軌跡に関する移動軌跡情報をも生成する（Ｓ２１１）。
【００７０】
次いで、ステップＳ２１１で生成された現在位置情報及び移動軌跡情報が図４のステップＳ２０２におけると同様に、情報伝送手段によって被制御装置としての液晶テレビ１００に伝送され（ステップＳ２１２）、液晶テレビ１００側では情報受信手段によってこれらの情報を受信し（Ｓ１１１）、受信した移動軌跡情報に基づいてシステムコントローラ１７０（その該当する機能部）によって構成されるユーザ認識手段によりユーザを認識し、更に、現在位置情報からリモコンの現在位置を認識する（Ｓ１１２）。ユーザを認識するための手法は種々あるが、その例については後述する。
【００７１】
ステップＳ１１２で認識されたユーザとリモコンの現在位置の如何に応じて動作モード（コンテンツや音響の指向方向等）が選択される（Ｓ１１３）。このステップＳ１１３は図４のステップＳ１０３において特定の視聴者（Ｓ１１３におけるユーザに相応する）に適合するコンテンツを優先的に選択して映出する等の動作である。具体的な構成としては、ユーザ毎の嗜好の傾向等の情報を、例えば、メモリ１７２に予めルックアップテーブルとして集約して準備しておき、適宜にこれを参照することによって適切な選択が行われ得るようにするが、更に、リモコンの現在位置の如何に応じて、音響の指向方向が適切なものとなるように調節される。
【００７２】
ステップＳ１１２において、移動軌跡情報に基づいてユーザを認識することは、例えば次のようにして行われる。即ち、図１において、リモコン２００を既述のバッテリチャージャ５００に接続した不使用時の定位置（破線図示）から、ユーザが手に取って、一点鎖線によって図示した軌跡Ｌ１の如くの移動経路を経てその使用位置（実線図示）に持ち来たらしめられたときには、その移動軌跡の傾向における特徴からそのときのユーザを判定するといった手法によって実行される。
【００７３】
リモコン側のステップＳ２１２の動作以降は、図４を参照して説明したステップＳ２０３におけるものと同様に、現在位置算出手段による算出位置に関する累積誤差がリセットされて（Ｓ２１３）、処理が終了する。液晶テレビ側の動作は、上述のステップＳ１１３の実行をもって終了する。ところで、リモコンは、１台で、複数台のテレビやステレオ、或いは、録画装置、更には、エアコンなどにも対応できるように多機能化され得る。
【００７４】
図６は、リモコンが多機能機であって種々の家庭用電気製品の制御を行うために、例えば家族のような複数のユーザのうち機に応じて一のユーザが家の中でリモコンを携えて移動するような場合に、当該ユーザを自動的に判定する手法を説明する図である。今、住宅（自宅）１０００において、ユーザが図示されない二階の寝室から階段１００１を降りると水回り室１００２を経由して、液晶テレビ１００が設置されたダイニングルーム１００３に到達するまでの動線である移動軌跡をＬ２とする。
【００７５】
また、ダイニングルーム１００３に到って以降、ソファ１００４の背後を迂回して液晶テレビ１００の左側方近傍のバッテリチャージャ５００に置かれたリモコン２００を取るためにダイニングルーム１００３内を移動するときの動線である移動軌跡をＬ３とする。更に、リモコン２００を手にしてソファ１００４の自分の定位置に着座するまでの動線である移動軌跡Ｌ4とする。これ等の移動軌跡Ｌ２，Ｌ３，Ｌ4等の特徴について適宜公知の手法でリモコンに学習させ、実際の移動軌跡と学習によって蓄積された特徴との相関からそのときのユーザを判定する。
【００７６】
尚、この使用例のように、ユーザがリモコンを携えて、上述の階段１００１のような、特徴的な加速度が作用する場所を経由して移動する場合には、階段１００１の場所と、その場所で慣性センサ等による相対位置検出手段２１１によって顕著な特徴をもって検出される相対位置の変化に係る検出出力信号との対応関係を利用して、既述の累積誤差のリセットを、バッテリチャージャ５００に載置し接続した時点で行うに替えて、階段１００１のような特異地点で行うようにしてもよい。
【００７７】
また、このような家屋内での特異地点との相対において、リモコンを携えたユーザの現在位置が正確に把握できることに注目して、例えばユーザが二階の書斎（不図示）に居ると認識される場合には、書斎に設置されている制御対象機器以外の機器に関する制御信号の発信動作は禁止され、ダイニングルーム１００３に居ると認識される場合には、そこに設置されたもの以外の機器に対する制御信号の発信動作は禁止されるようにするなど、ユーザの意図に違う動作や無駄な電力消費の発生を低減するようにシステムを構成することは推奨される。
【００７８】
図７は、液晶テレビ１００とリモコン２００とを含んで構成される本発明の他の実施の形態としての制御システム（液晶テレビシステム）１００＋２００の動作の概要を表すフローチャートである。図７において、先ず、図３の構成を有するリモコン２００側では、動作スタート後、図５を参照して説明したところと同様に、その相対位置検出手段２１１、検出特性調整手段２１２、及び、システムコントローラ２３０の該当する機能部によって構成される現在位置算出手段が当該遠隔制御装置（リモコン２００）の現在位置を算出して該位置を表す現在位置情報を生成し、システムコントローラ２３０の該当する機能部による移動軌跡情報生成手段によって、更にリモコン２００の移動軌跡に関する移動軌跡情報を生成する（Ｓ２２１）。
【００７９】
次いで、ステップＳ２２１で生成された移動軌跡情報に基づいてシステムコントローラ２３０（その該当する機能部）によって構成されるユーザ認識手段によりユーザを認識する（Ｓ２２２）。ステップＳ２２２で認識されたユーザを表すユーザ認識情報と、ステップＳ２２１で既に生成してあった現在位置情報とが図４のステップＳ２０２におけると同様に、情報伝送手段によって被制御装置としての液晶テレビ１００に伝送され（ステップＳ２２３）、液晶テレビ１００側では情報受信手段によってこれらの情報を受信する（Ｓ１２１）。
【００８０】
次いで、液晶テレビ１００側ではステップＳ１２１で受信した情報に基づいてユーザとリモコンの現在位置を認識する（Ｓ１２２）。ステップＳ１２２で認識されたユーザとリモコンの現在位置の如何に応じて動作モード（コンテンツや音響の指向方向等）が図５のステップＳ１１３と同様に選択される（Ｓ１２３）。このステップＳ１２３は図４のステップＳ１０３において特定の視聴者（Ｓ１１３におけるユーザに相応する）に適合するコンテンツを優先的に選択して映出する等の動作である。
【００８１】
具体的な構成としては、ユーザ毎の嗜好の傾向等の情報を、例えば、メモリ１７２に予めルックアップテーブルとして集約して準備しておき、適宜にこれを参照することによって適切な選択が行われ得るようにするが、更に、リモコンの現在位置の如何に応じて、音響の指向方向が適切なものとなるように調節される。リモコン側のステップＳ２２３の動作以降は、図４を参照して説明したステップＳ２０３におけるものと同様に、現在位置算出手段による算出位置に関する累積誤差がリセットされて（Ｓ２２４）、処理が終了する。液晶テレビ側の動作は、上述のステップＳ１２３の実行をもって終了する。
【００８２】
図８は、液晶テレビ１００とリモコン２００とを含んで構成される本発明の更に他の実施の形態としての制御システム（液晶テレビシステム）１００＋２００の動作の概要を表すフローチャートである。図８において、先ず、図３の構成を有するリモコン２００側では、動作スタート後、図７を参照して説明したところと同様に、その相対位置検出手段２１１、検出特性調整手段２１２、及び、システムコントローラ２３０の該当する機能部によって構成される現在位置算出手段が当該遠隔制御装置（リモコン２００）の現在位置を算出して該位置を表す現在位置情報を生成し、システムコントローラ２３０の該当する機能部による移動軌跡情報生成手段によって、更にリモコン２００の移動軌跡に関する移動軌跡情報をも生成する（Ｓ２３１）。
【００８３】
次いで、ステップＳ２３１で生成された移動軌跡情報を基にして、この情報にユーザの特定の挙動に相応するものとして予定された特定移動態様情報が含まれているときには、システムコントローラ２３０（その該当する機能部）によって構成される特定移動態様情報抽出手段によって、その特定移動態様情報を抽出する（Ｓ２３２）。茲におけるユーザの特定の挙動と特定移動態様情報について、次に図面を参照して説明する。
【００８４】
図９は、ユーザがリモコンを持って、予定した制御対象となる被制御装置に関して、特定の挙動を行うことによってそのリモコンに被制御装置を認識させる状況を説明する概念図である。図９における液晶テレビ１００は、図１を参照して説明したものと同様のものであり、その筐体１０１に、映像を映出するスクリーン１０２、このスクリーン１０２の底辺よりも低い位置にステレオ式音響装置を構成する左側スピーカ１０３及び右側スピーカ１０４、及び、このスクリーン１０２の底辺の右直下にリモコン２００からの赤外光等による制御信号を受ける受光窓１０５が備えられている。
【００８５】
今、不図示のユーザがリモコン２００を持って、そのリモコンに被制御装置の如何を認識させるための特定の挙動を意識的に行うと、この特定の挙動に相応するものとして予定された特定移動態様情報が生成される。即ち、リモコン２００を液晶テレビ１００のスクリーン１０２から所定の距離（例えば、適正視聴距離）離隔した位置からスクリーンの左上端部から右下端部に向けて対角線ＤＬを、例えば、一往復なぞるように挙動する。
【００８６】
リモコン２００の慣性センサ等でなる相対位置検出手段２１１、及び、検出特性調整手段２１２、並びに、システムコントローラ２３０の該当する機能部によって構成される現在位置算出手段が生成する既述の現在位置情報、システムコントローラ２３０の該当する機能部による移動軌跡情報生成手段が生成する移動軌跡情報に照らして、上述の挙動が、予めユーザの特定の挙動に相応するものとして予定された特定移動態様情報に該当しているときにはシステムコントローラ２３０の該当する機能部による特定移動態様情報抽出手段がこの特定移動態様情報を抽出する。上述の特定の挙動としては、制御対象として予定した被制御装置の各仕様毎に峻別され得る夫々特定の態様の動きを当初の学習時に割り当てておけばよい。
【００８７】
図８のフローチャートの説明に戻る。ステップＳ２３２で特定移動態様情報を抽出すると、次いで、システムコントローラ２３０の該当する機能部による制御対象識別手段によって抽出された特定移動態様に対応するものとしての制御対象となる被制御装置を識別し（Ｓ２３３）、この被制御装置に適合する態様の信号によって当該被制御装置（本例では液晶テレビ１００）に向けて情報伝送手段によって制御装置（リモコン）の位置や移動軌跡を表す情報を伝送する（Ｓ２３４）。
【００８８】
上述のように本実施の形態では、制御対象となる被制御装置として識別された装置に適合する態様の信号によって例えば遠隔制御装置の現在位置の情報や、所望の操作を行うための指令等の情報を当該被制御装置に確実に伝送することができる。本例における当該被制御装置としての液晶テレビ１００側では、ステップＳ２３４で伝送された情報を受信し（Ｓ１３１）、図４、図５、或いは、図７を参照して説明したところと同様に、この受信した情報に基づいて動作モードの選択等を実行する（Ｓ１３２）。
【００８９】
リモコン側のステップＳ２３４の動作以降は、図４を参照して説明したステップＳ２０３におけるものと同様に、現在位置算出手段による算出位置に関する累積誤差がリセットされて（Ｓ２３５）、処理が終了する。液晶テレビ側の動作は、上述のステップＳ１３２の実行をもって終了する。
図１０は、本発明の更に他の実施の形態の動作を表すフローチャートである。遠隔制御装置としてのリモコン２００はブロック図上の構成は図３のものと同様であり、被制御装置としての液晶テレビ１００も図２のものと同様である。リモコン２００の操作部に対してユーザにより使用目的の種別を選択する操作が行われシステムコントローラ２３０の該当する機能部による使用目的認識手段がこの使用目的を認識する（Ｓ２４１）。
【００９０】
この使用目的とは、例えば、このリモコン２００をポインティングデバイスとして用いる、或いは、ユーザの判定に用いるといったようなことである。ステップＳ２４１で認識された使用目的に該当する機器は複数存在することがある。例えば、同じポインティングの対象に適用するテレビであっても、大勢で見るに適する大型の液晶テレビである場合もあれば、これより小型のものである場合もあり得る。
【００９１】
このため、ユーザは、図９を参照して説明したように、例えば使用を意図した液晶テレビ１００についてリモコン２００をスクリーン１０２に向けその対角線ＤＬを一往復なぞるような特定の挙動を行って、図８のステップＳ２３１〜ステップＳ２３３と同様にしてリモコン２００に実際に使用する被制御装置を特定させる（Ｓ２４２）。このステップＳ２４２の実行には、図８の場合と同様の、相対位置検出手段、移動軌跡情報生成手段、特定移動態様情報抽出手段、及び、制御対象識別手段が機能する。
【００９２】
リモコン２００では、ステップＳ２４２で特定された被制御装置（この例では液晶テレビ１００）に適合するように制御指令信号（コード）の種別、操作部２３１の操作キーの機能の定義等々の制御の準備動作を実行する（Ｓ２４３）。次いで、検出特性調整手段２１２（及び、システムコントローラ２３０の該当する機能部）によって慣性センサ等でなる相対位置検出手段２１１の検出特性が、ステップＳ２４２で特定された被制御装置とステップＳ２４１で認識した使用目的とに適合するように調整される（Ｓ２４４）。
【００９３】
ステップＳ２４４で調整された検出特性によって作動するようになった相対位置検出手段２１１の検出出力に基づいて、既述同様に位置情報、移動軌跡情報が生成されて（Ｓ２４５）、これらの情報が、情報伝送手段により、制御対象識別手段によって識別された制御対象とする被制御装置に適合する態様の信号によって被制御装置（液晶テレビ１００）に伝送される（Ｓ２４６）。液晶テレビ側では伝送された情報を受信し（Ｓ１４１）、受信された情報に依拠してポインティング等の目的とする動作を正規に実行できるようになる（Ｓ１４２）。
【００９４】
リモコン側のステップＳ２４６の動作以降は、図４を参照して説明したステップＳ２０３におけるものと同様に、現在位置算出手段による算出位置に関する累積誤差がリセットされて（Ｓ２４７）、処理が終了する。液晶テレビ側の動作は、上述のステップＳ１４２の実行をもって終了する。図９を参照して説明した実施の形態によれば、使用目的に応じて、例えば検出感度特性等の検出特性を最適化することができ、これ以降はこの状態での相対位置検出手段の検出出力によって所望とする検出が行われ、且つ、上記識別結果としての被制御装置に適合する態様の信号によって、例えば所望の操作を行うための指令等の情報を当該被制御装置に確実に伝送することができる。
【００９５】
図１１は、液晶テレビ１００とリモコン２００とを含んで構成される本発明の他の実施の形態としての制御システム（液晶テレビシステム）１００＋２００の動作の概要を表すフローチャートである。図１０において、先ず、図３の構成を有するリモコン２００側では、動作スタート後、図５を参照して説明したところと同様に、その相対位置検出手段２１１、検出特性調整手段２１２、及び、システムコントローラ２３０の該当する機能部によって構成される現在位置算出手段が当該遠隔制御装置（リモコン２００）の現在位置を算出して該位置を表す現在位置情報を生成し、システムコントローラ２３０の該当する機能部による移動軌跡情報生成手段によって、更にリモコン２００の移動軌跡に関する移動軌跡情報を生成する（Ｓ２５１）。
【００９６】
次いで、ステップＳ２５１で生成された移動軌跡情報に基づいてシステムコントローラ２３０の該当する機能部による制御対象推定手段によって制御対象とする被制御装置を推定する（Ｓ２５２）。次いで、システムコントローラ２３０の該当する機能部による準備動作起動情報生成手段によって、ステップＳ２５２で推定された制御対象である被制御装置に稼動するための準備動作を起動させる準備動作起動情報を生成する（Ｓ２５３）。
【００９７】
茲に、稼動するための準備動作とは、例えば、電源を供給したりコンテンツを準備したりするような目的とする動作の準備に相当する動作である。ステップＳ２５３で生成された準備動作起動情報を含む情報が既述の情報伝送手段によって当該被制御装置（本例では液晶テレビ１００）に伝送される（Ｓ２５４）。液晶テレビ１００側では、この準備動作起動情報を受信し（Ｓ１５１）、受信された準備動作起動情報に応答して上述の電源を供給したりコンテンツを準備したりするような、目的とする動作の準備に相当する動作を実行する（Ｓ１５２）。
【００９８】
リモコン側のステップＳ２５４の動作以降は、図４を参照して説明したステップＳ２０３におけるものと同様に、現在位置算出手段による算出位置に関する累積誤差がリセットされて（Ｓ２５５）、処理が終了する。液晶テレビ側の準備動作は、上述のステップＳ１５２の実行をもって終了する。図１０を参照して説明した実施の形態によれば、例えば特定の被制御装置に向かうユーザの動線に沿うような移動軌跡の移動軌跡情報に基づいて制御対象とする被制御装置が推定される。
【００９９】
既述の図６を参照して説明した例において、例えば、移動軌跡Ｌ２，Ｌ３等は一家の主人がダイニングルーム１００３の液晶テレビ１００のリモコンのバッテリチャージャ５００に向かうときのコースであるから、制御対象とする被制御装置は液晶テレビ１００であると推定されるといった具合に推定が可能であるため、このように推定された被制御装置に例えば電源を供給したりコンテンツを準備したりするような準備動作を起動させる準備動作起動情報を生成する。準備動作起動情報を受けた液晶テレビ１００側では、これに応じて上記のような準備動作を起動させることができ、ユーザ側から見て応答性に優れたシステムを実現することができる。
【０１００】
図１２は、液晶テレビ１００とリモコン２００とを含んで構成される本発明の更に他の実施の形態としての制御システム（液晶テレビシステム）１００＋２００の動作の概要を表すフローチャートである。図１２において、先ず、図３の構成を有するリモコン２００側では、動作スタート後、図５を参照して説明したところと同様に、その相対位置検出手段２１１、検出特性調整手段２１２、及び、システムコントローラ２３０の該当する機能部によって構成される現在位置算出手段が当該遠隔制御装置（リモコン２００）の現在位置を算出して該位置を表す現在位置情報を生成し、システムコントローラ２３０の該当する機能部による移動軌跡情報生成手段によって、更にリモコン２００の移動軌跡に関する移動軌跡情報を生成する（Ｓ２６１）。
【０１０１】
システムコントローラ２３０の該当する機能部による移動履歴保持手段によってステップＳ２６１で得た情報に係るリモコン２００の移動位置乃至移動軌跡の時系列での形態である移動履歴情報が逐一保持される（Ｓ２６２）。ステップＳ２６１で生成された現在位置情報とその位置に対応する被制御装置側での動作態様との関係は、時刻に応じて様々であり、従って、両者の関係は一対多の対応の関係にある。
【０１０２】
例えば、同じ位置にリモコン（従って、ユーザ乃至視聴者）が存在していても、時刻が平日の早朝であればコンテンツとしては天気予報や交通状況に係るニュースが優先順位の高いものであり、休日夜の時間帯であれば、芸術や娯楽に関するコンテンツが優先順位が高いといった具合である。
従って、この実施の形態では、ステップＳ２６２で保持された移動履歴情報によってユーザを推定しつつ、システムコントローラ２３０の該当する機能部による時刻管理手段によって計時動作を行って時刻情報を得、推定されるユーザの時刻に応じた行動類型等を勘案して、上述のように一対多の対応の関係にある現在位置情報と被制御装置側での動作態様との関係を、システムコントローラ２３０の該当する機能部による動作態様選択情報生成手段によって、一対一の関係に絞り込む処理を実行する（Ｓ２６３）。ステップＳ２６３の処理は、換言すれば、被制御装置が任意時点においてとるべき動作態様を規定する動作態様選択情報を生成するものである。
【０１０３】
ステップＳ２６３によって一対一の関係に絞り込まれた現在位置情報と被制御装置側での動作態様との関係を表す動作態様選択情報を既述の情報伝送手段によって液晶テレビ１００側に伝送する（Ｓ２６４）。液晶テレビ１００側は、この動作態様選択情報を受信し（Ｓ１６１）、受信された動作態様選択情報に基づいて、コンテンツの選択等の動作モードの選択を実行する（Ｓ１６２）。
【０１０４】
リモコン側のステップＳ２６４の動作以降は、図４を参照して説明したステップＳ２０３におけるものと同様に、現在位置算出手段による算出位置に関する累積誤差がリセットされて（Ｓ２６５）、処理が終了する。液晶テレビ側の動作は、上述のステップＳ１６２の実行をもって終了する。図１１を参照して説明した実施の形態によれば、或る管理された時刻（任意時点）において被制御装置（液晶テレビ１００）がとるべき動作態様を、時刻情報と、遠隔制御装置（リモコン２００）の移動履歴の情報と、リモコン２００の現在位置の情報との各情報を勘案して選択することによって、動作態様選択情報が生成されて、被制御装置側に伝送され得る。この動作態様選択情報を受けた被制御装置側では上記各情報が勘案された態様の動作を選択することができる。
【０１０５】
図１３は、本発明の更に他の実施の形態の動作を表すフローチャートである。この実施の形態では、遠隔制御装置としてのリモコンはブロック図としては図３に表わされる構成を有し、相対位置検出手段２１１の検出出力に基づいて被制御装置（例えば、液晶テレビ）の表示画面（スクリーン１０２）上の位置を特定してポインティングを行うポインティング情報を生成するポインティング情報生成手段（システムコントローラ２３０の該当する機能部）と、前記相対位置検出手段２１１の検出出力に基づいてリモコン２００の移動軌跡に関する移動軌跡情報を生成する移動軌跡情報生成手段（システムコントローラ２３０の該当する機能部）と、この移動軌跡情報生成手段によって生成された移動軌跡情報に基づいてユーザを認識して該認識を表すユーザ認識情報を生成するユーザ認識手段（システムコントローラ２３０の該当する機能部）とを備える。
【０１０６】
更に、この現在位置算出手段による現在位置情報に基づいて自己の位置を検出する位置検出モードと、上述のポインティング情報に基づいて液晶テレビ１００のスクリーン１０２上の位置を特定してポインティングを行うポインティングモードと、上述のユーザ認識情報に基づいてユーザを認識するユーザ認識モードとの、３つのモードのうちの何れかのモードを選択するモード選択手段（システムコントローラ２３０の該当する機能部）と、を更に備えている。
【０１０７】
動作の当初において、この遠隔制御装置（リモコン２００）は、自己の操作部２３１に対するユーザの操作によって選択操作された動作モードを判定する（Ｓ２７１）。ステップＳ２７１での判定結果がポインティングモードであるときには、検出特性調整手段２１２によって相対位置検出手段２１１の検出特性をポインティングモードに適合するように調整し（Ｓ２７２）、このように検出特性が調整された相対位置検出手段２１１の検出出力に基づいて所定のポインティング動作を実行する（Ｓ２７３）。
【０１０８】
ステップＳ２７１での判定結果が位置検出モードであるときには、検出特性調整手段２１２によって相対位置検出手段２１１の検出特性を位置検出モードに適合するように調整し（Ｓ２７４）、このように検出特性が調整された相対位置検出手段２１１の検出出力に基づいて所定の位置検出動作を実行する（Ｓ２７５）。一方、ステップＳ２７１での判定結果がユーザ認識モードであるときには、検出特性調整手段２１２によって相対位置検出手段２１１の検出特性をユーザ認識モードに適合するように調整し（Ｓ２７６）、このように検出特性が調整された相対位置検出手段２１１の検出出力に基づいて所定のユーザ認識動作を実行する（Ｓ２７７）。
【０１０９】
ポインティング動作（Ｓ２７３）、位置検出動作（Ｓ２７５）、ユーザ認識動作（Ｓ２７７）が終了した後は、図４を参照して説明したステップＳ２０３におけるものと同様に、現在位置算出手段による算出位置に関する累積誤差がリセットされて（Ｓ２７８）、処理が終了する。図１２の実施の形態では、自己の位置を検出する位置検出モードと、該当する被制御装置の表示画面上の位置を特定してポインティングを行うポインティングモードと、ユーザを認識するユーザ認識モードと、の各モードのうちの何れかのモードを選択的にとって機能し得、且つ、相対位置検出手段による検出特性が、選択されたモードに応じて適切になるように調整されるため、遠隔制御装置としての動作の確度、精度が高水準に確保され、ひいては、被制御装置側の動作の確度、精度も高水準に確保される。
【０１１０】
図１４は、本発明を水族館の自動解説装置に適用した実施の形態を表す概念図である。図示の例はパノラマ式の巨大な回遊水槽中の生物について適宜のタイミングで音声による解説が自動的に放送されるシステムである。アクリル厚板による透明なスクリーンＳＲの下辺に沿って帯状に手前側に段差をなして突出するようにしてケーブル類や電気回路その他の設備を隠蔽する設備収納部ＥＭが形成され、この設備収納部ＥＭの段差をなす肩部に、適宜の間隔をおいて、赤外信号受光部ＩＲ１，ＩＲ２，…が、更に、これら赤外信号受光部ＩＲ１，ＩＲ２，…に夫々隣接するようにして、解説の音声を発するスピーカＬＳ１，ＬＳ２，…が設けられている。
【０１１１】
それぞれの観客ＳＰ１，ＳＰ２，…は、その構成が図３のものと略同様の相対位置検出手段を備えたリモコンＲＣ１，ＲＣ２…を携えている。各リモコンＲＣ１，ＲＣ２…では相対位置検出手段の検出出力に基づいて夫々既述のように現在位置や移動軌跡が検出され、検出された結果を表す情報が赤外光による信号によって自動的に赤外信号受光部ＩＲ１，ＩＲ２，…に伝送され、設備収納部ＥＭ内に設けられた設備によって、各対応するリモコンＲＣ１，ＲＣ２…の位置、従って、これを携える観客ＳＰ１，ＳＰ２，…の位置が認識される。
【０１１２】
観客ＳＰ１，ＳＰ２，…（リモコンＲＣ１，ＲＣ２…）の位置が認識されると、各観客ＳＰ１，ＳＰ２，…の位置の近傍に夫々配置されているスピーカＬＳ１，ＬＳ２，…からその観客ＳＰ１，ＳＰ２，…に向けてその視野内に入っている乃至は入ってこようとしている生物についての解説が自動的に放送される。即ち、解説の対象とされる水槽内の生物の位置は、例えば、夫々の個体に貼り付けられた超音波タグが発生する信号をパッシブソナーの原理で探知して割り出し、リモコンＲＣ１，ＲＣ２…からの信号に基づいて認識された観客の位置に応じてその視野にある生物を判断して該当する解説をスピーカＬＳ１，ＬＳ２，…から放送する。
【０１１３】
図示のようにスクリーンＳＲの左手に居る観客ＳＰ１がリモコンＲＣ１を用いて解説を所望するタイミングで操作部の該当する音声起動要求ボタンを操作すると、上述のようにしてその位置が認識され、観客ＳＰ１に最も近接した位置にあるスピーカＬＳ１から、観客ＳＰ１の視野を横断しようとしているヒラシュモクザメｇｈについて「只今、１号リモコンを持つお客様の前を横断しようとしているのはヒラシュモクザメです。」「メジロザメ目、シュモクザメ科の魚類で、世界中の温帯から熱帯の海に生息しています。６メートルにも成長する個体もあり、シュモクザメの中では最大種のものです。……」のような解説がスピーカLS1から観客ＳＰ１に向けての指向性で放送される。
【０１１４】
同様にして、スクリーンＳＲの右寄りに居てアオウミガメｃｍが眼前に来ている観客ＳＰ２に向けては「只今、２号リモコンを持つお客様の正面に来ているのはアオウミガメです。」「カメ目、ウミガメ科の爬虫類で、熱帯から温帯の海、或いは地中海にも生息しており、甲長８０センチから１メートル以上に及ぶものもいて……」のような解説がスピーカLS２から観客ＳＰ２に向けての指向性で放送される。スピーカLS1とLS２とから上述のような解説が同時に放送されても、観客ＳＰ１、ＳＰ２は、各自が注目している対象についての解説が夫々に適合する指向性で放送されるため、干渉を余り気にすることなく視聴することが可能である。
【０１１５】
尚、上述のものは、パノラマミックな大型の水槽について適用した例であるが、限られた種類の生物を小分けにして飼育し展示する比較的小型の水槽についても、観客の位置に応じて、最適な、或いは、適応的な指向性で、観客の視野に適合した解説を放送するように構成すれば、ある程度の暗騒音下においても極めて聞き取りやすい快適な自動解説システムが実現される。
【０１１６】
以上の水族館に適用する実施の形態においては、場合により、解説はリモコンに設けたディスプレイに表示するようにしてもよい。また、特に小型の水槽では、説明の対象とされる生物が移動する範囲は限られたものとなるため、大型の水槽におけるような各個の生物に貼り付けた超音波タグの信号をパッシブソナーで捕捉するような設備は省略することができる。
【０１１７】
図１５は、図１を参照して説明した制御システム（液晶テレビシステム）１００＋２００と略同様の制御システムにおいて、遠隔制御装置（リモコン２００）が通信手段（図３を参照して既述の外部機器インターフェース２４０）を通して外部の情報処理装置との連携動作を行うようにした実施の形態を表す概念図である。図１５において既述の図１との対応部は同一の符号を附して示されている。
【０１１８】
液晶テレビ１００はこれに対応する遠隔制御装置としてのリモコン２００からの赤外光等による制御信号を受けてその動作が制御され得るように構成されている。液晶テレビ１００は、その筐体１０１に、映像を映出するスクリーン１０２、このスクリーン１０２の底辺よりも低い位置にステレオ式音響装置を構成する左側スピーカ１０３及び右側スピーカ１０４、及び、このスクリーン１０２の底辺の右直下にリモコン２００からの赤外光等による制御信号Ｓｃ（二点鎖線により図示）を受ける受光窓１０５が備えられている。
【０１１９】
一方、リモコン２００は、液晶テレビ１００（その筐体１０１）とは離隔した位置に配置可能な独立した筐体２０１を持つ。内部の構成はブロック図上では図３のものと同様である。そして、上述の液晶テレビ１００とリモコン２００とを含んで、本発明の制御システム（液晶テレビシステム）１００＋２００が構成される。尚、赤外光等による制御信号Ｓｃには、操作者の任意の操作に応じて液晶テレビ１００を制御するための情報自体を表す信号の他に液晶テレビとリモコン間の通信に係る種々の情報を表す信号が含まれる点も図１を参照して説明した実施の形態と同様である。
【０１２０】
図３を参照して既述のとおり、リモコン２００には外部の情報処理装置としてのパーソナルコンピュータ（以下、パソコンという）３００との通信を行う通信手段としての外部機器インターフェース２４０を備えている。より厳密には、外部機器インターフェース２４０とこれが接続されたシステムコントローラ２３０のうちの該当する機能部等を含んで通信手段が構成される。
【０１２１】
パソコン３００は更にインターネット４００に接続されるため、自己が保有しているデータの他にインターネット４００を通して種々のデータを取得して活用することが可能になる。従って、図１５の制御システムによれば、図１の制御システムによる作用に加えて、この通信手段を通して外部の情報処理装置の機能を活用することにより、遠隔制御装置自体の負担を大幅に増大させることなく簡素な構成によって、一層高度な制御を行うことが可能になる。
【０１２２】
リモコン２００において、図１乃至図１２を参照して説明したような動作を行うためには、予め所要の学習行わしめ、その結果をメモリ２３１に格納しておくことを要する。また、図６を参照して説明したような、家屋内部のレイアウトが改築などによって変更された場合や、家屋内部のレイアウトは変更されずとも、液晶テレビの配置や、その他の家具類の配置が変更されて、本システムの予定のユーザの動線が変更されたりした場合にはその都度学習内容を改訂することが必要となる。
【０１２３】
図１５のシステムでは、このような変更に対応して新たな学習をする場合の支援プログラムを提供したり、家屋内部のレイアウトが改築が既定のパターンに属するものである場合等については、改訂後のレイアウトに対応する間取り図を取得する方途が開かれるなど、上述の通信手段を通して情報を取得し、或いは、ガイドや支援を受けるなど、ユーザにとって種々の便宜が提供され得る。
【０１２４】
上記説明したシステムにおいて、ユーザを認識（図６を参照しての説明で判定と表現しており、以下、判定という）する処理においては、リモコンの位置や移動軌跡に基づいて自動判定する場合について説明したが、この処理に対話形式のマンマシンインターフェースの手法を採り入れてもよい。即ち、図５における被制御装置（液晶テレビ１００）側でのステップＳ１１２の処理、図７おける制御装置（リモコン２００）側でのステップＳ２２２の処理、及び、図１３における制御装置（リモコン２００）側でのステップＳ２７７の処理は何れも自動的に判定するものであったが、このユーザ判定処理に対話形式の手法を導入してもよい。
【０１２５】
図１６はユーザ判定処理に対話形式の手法を導入した例について説明するフローチャートである。このフローチャートでは、ユーザ判定処理を制御装置（リモコン２００）側において実行する場合と被制御装置（液晶テレビ１００）側で行う場合との双方における場合について該当するように抽象化して表現してある。この処理に入ると、先ず、制御装置であるリモコン２００（従ってそれを携えたユーザ）の位置や移動軌跡の情報（以下、移動軌跡情報という）について、当該移動軌跡情報とユーザとの対応関係に関する既得の情報（初回については適宜の所謂デフォルト値の情報が設定されている）と新たに検出した情報との相関性に基づいて、ユーザである蓋然性の高い順位を推定し（Ｓ２８１）、現実のユーザが認識可能に表示する（Ｓ２８２）。
【０１２６】
この表示はリモコン２００にて表示の場合は、公知の態様の液晶表示部を設けてここに表示し、或いは、対応する液晶テレビに表示のための信号を伝送してそのスクリーンに表示するようにしてもよい。ユーザから、この表示を視認して優先順位の判断の適否に関する応答があるまで待機し（Ｓ２８３）、応答内容に応じて、表示された優先順位に対する現実のユーザからの変更指示の有無を判断する（Ｓ２８４）。
【０１２７】
ユーザから、優先順位の変更指示があったときには（この場合は、ステップＳ２８２の表示で最上位に表示されたユーザ名が当該現実のユーザでなく、現実のユーザから、自己を最上位とするべくカーソルを移動して該当する箇所で決定釦を押すなどの適宜の操作によって変更指示が発せられる）、既定の優先順位の情報を更新して判断の的確さの度合いに関する学習内容（移動軌跡情報とユーザとの対応関係毎の発生頻度の統計値等）を更新する（Ｓ２８５）。
【０１２８】
ステップＳ２８５に次いで、更新後の優先順位が最上位のユーザ（即ち、現実のユーザから自己を最上位とするべく操作されたユーザ）を判定対象として決定する（Ｓ２８６）。一方、ユーザから、優先順位の変更指示がないときには（この場合は、ステップＳ２８２の表示で最上位に表示されたユーザ名が当該現実のユーザに相違なく、現状の判断が正しい旨を現実のユーザが決定釦を押すなどの適宜の操作で応答する）、既定の優先順位の情報を維持し、現状の優先順位に関する判断の的確さは高いものとして扱うように学習する（Ｓ２８７）。
【０１２９】
ステップＳ２８５のように既定の優先順位の情報が更新され、当該現実のユーザが最上位へとその優先順位を変更した場合は、その変更後の優先順位で最上位の順位のユーザを当該ユーザとして判定し（Ｓ２８６）、他方、ステップＳ２８７のように既定の優先順位の情報が更新されない場合には、現状での最上位の優先順位のユーザを当該ユーザとして判定し（Ｓ２８８）、ユーザ判定処理を終了する。
【０１３０】
ユーザ判定処理に上述のような対話形式のマンマシンインターフェースの手法を採り入れることによって、使用回数を重ねる程に判定の精度を高めることができるようになり、使い込む程に使い勝手が向上するシステムを実現することができる。従って、性行の類似したユーザに対しても高い精度で弁別し正しい判定を行い得るようになる。また、特異な移動（リモコンの姿勢を変化させたり振る等の動作）を一旦学習させて自己を判定させるべく学習させた一のユーザが他のユーザに動きを読まれるようなことがあっても、別の動きや、移動軌跡とユーザとの異なる対応関係を本システムに学習させることによってプライバシーの保護を図ることもできる。
【０１３１】
上述の本発明の種々の実施の形態において、既述のリモコンのような態様の機器においては、その機器を保有するユーザ或いは、その機器を取り付けたり付帯させたりした電子機器の位置を認識することができるため、その電子機器が電波の受信装置であるような場合には、この位置に依存して、受信するに最適な周波数帯域を選択するような応用が考えられる。即ち、例としては、同じ内容のコンテンツが複数種類の周波数帯域で放送されている場合等では、現在位置の情報に基づいて、適用する周波数帯域を選択する。或いは、モバイル放送のように南側の衛星からしか受信できない場合は、アンテナが南側に位置することが位置や方位の情報から確認される状況下では衛星からの電波を受信し、この状況にないときにはギャップフィラーからの受信に自動的に切り替える等である。
【０１３２】
以上の各実施の形態において、装置間の通信には、Ｂｌｕｅｔｏｏｔｈ（登録商標）やＩＥＥＥ８０２．１１ｂ或いはＩＥＥＥ８０２．１１ｇ等を適用可能である。また携帯電話のような携帯情報端末を上述のリモコンとして利用し、相対位置を表わす情報に応じて無線ＩＰ網を利用した通話に切り換えたり、Ｂｌｕｅｔｏｏｔｈ（登録商標）を利用して音声情報を提供する等してもよい。
【図面の簡単な説明】
【０１３３】
【図１】本発明の実施形態としての制御システム（液晶テレビシステム）を表わす概念図である。
【図２】図１の制御システム中の液晶テレビの回路構成を示すブロック図である。
【図３】図１の制御システム中のリモコンの回路構成を示すブロック図である。
【図４】本発明の実施の形態としての制御システムの動作の概要を表すフローチャートである。
【図５】本発明の他の実施の形態としての制御システム（液晶テレビシステム）の動作の概要を表すフローチャートである。
【図６】本発明の他の実施の形態において、リモコンを携えて移動するユーザを自動的に判定する手法を説明する図である。
【図７】本発明の更に他の実施の形態としての制御システムの動作の概要を表すフローチャートである。
【図８】本発明の更に他の実施の形態としての制御システムの動作の概要を表すフローチャートである。
【図９】ユーザが本発明の実施の形態としてのリモコンを持って、予定した制御対象となる被制御装置に関して、特定の挙動を行うことによってそのリモコンに被制御装置を認識させる状況を説明する概念図である。
【図１０】本発明の更に他の実施の形態の動作を表すフローチャートである。
【図１１】本発明の他の実施の形態としての制御システム（液晶テレビシステム）の動作の概要を表すフローチャートである。
【図１２】本発明の更に他の実施の形態としての制御システム（液晶テレビシステム）の動作の概要を表すフローチャートである。
【図１３】本発明の更に他の実施の形態の動作を表すフローチャートである。
【図１４】本発明を水族館の自動解説装置に適用した実施の形態を表す概念図である。
【図１５】図１と略同様の制御システムにおいて遠隔制御装置が通信手段を通して外部の情報処理装置との連携動作を行うようにした実施の形態を表す概念図である。
【図１６】本発明の更に他の実施の形態の動作を表すフローチャートである。
【符号の説明】
【０１３４】
１００…液晶テレビ  １０１…筐体  １０２…スクリーン  １０３…左側スピーカ  １０４…右側スピーカ  １０５…受光窓  １１０…アンテナ  １２０…復調・フィルタリング部  １３０…映像処理部  １４０…音声処理部  １４１…左の増幅器  １４２…右の増幅器  １４３…左のスピーカ  １４４…右のスピーカ  １５０…ＯＳＤ部  １６０…液晶表示器  １７０…システムコントローラ  １７１…操作部  １７２…メモリ  １８１…リモコン信号受信部  １８２…リモコン信号デコード部  ２００…リモコン  ２０１…筐体  ２１１…相対位置検出手段  ２１２…検出特性調整手段  ２２０…制御信号投射部  ２３０…システムコントローラ  ２３１…操作部  ２３２…メモリ  ２４０…外部機器インターフェース  ２５１…チャージャ接続検出部  ３００…パソコン  ４００…インターネット  １０００…住宅  １００１…階段  １００２…水回り室  １００３…ダイニングルーム  １００４…ソファ
【図１】
2006173857.tif 000003
【図２】
2006173857.tif 000004
【図３】
2006173857.tif 000005
【図４】
2006173857.tif 000006
【図５】
2006173857.tif 000007
【図６】
2006173857.tif 000008
【図７】
2006173857.tif 000009
【図８】
2006173857.tif 000010
【図９】
2006173857.tif 000011
【図１０】
2006173857.tif 000012
【図１１】
2006173857.tif 000013
【図１２】
2006173857.tif 000014
【図１３】
2006173857.tif 000015
【図１４】
2006173857.tif 000016
【図１５】
2006173857.tif 000017
【図１６】
2006173857.tif 000018